(57)【要約】【課題】本発明の課題は、用紙の搬送速度の高速化が可能であり、制御および構成の簡素化が図れる画像形成装置を提供することにある。【解決手段】本発明に関わる画像形成装置は、用紙の両面に画像を形成する画像形成装置１であって、画像形成区画４を通過させて一方面に画像を形成した用紙を、他方面に画像を形成するため用紙搬送路に対して一方面と他方面とを反転させて反転搬送区画６内に搬送する、第１駆動源Ｍ２により駆動される折返しローラ５ｒと、画像形成区画４内での用紙の搬送を行うための第２駆動源Ｍ１を用いて、反転搬送区画６内において反転させた用紙を搬送する搬送ローラ６ｒ１、６ｒ２と、搬送ローラ６ｒ１、６ｒ２と第２駆動源Ｍ１間に設けられ、搬送ローラ６ｒ１、６ｒ２の駆動の断・続を行い反転搬送区画６内の用紙の搬送・停止保持を行うためのクラッチ機構６ｃとを備えることを特徴としている。【選択図】  図１
2005008397.tif 000002
【特許請求の範囲】
【請求項１】
用紙の両面に画像を形成する画像形成装置であって、
画像形成区画を通過させて一方面に画像を形成した用紙を、他方面に画像を形成するため用紙搬送路に対して一方面と他方面とを反転させて反転搬送区画内に搬送する、第１駆動源により駆動される折返しローラと、
前記画像形成区画内での用紙の搬送を行うための第２駆動源を用いて、前記反転搬送区画内において前記反転させた用紙を搬送する搬送ローラと、
前記搬送ローラと前記第２駆動源間に設けられ、前記搬送ローラの駆動の断・続を行い前記反転搬送区画内の前記用紙の搬送・停止保持を行うためのクラッチ機構と
を備えることを特徴とする画像形成装置。
【請求項２】
前記反転搬送区画内の搬送ローラは、前記画像形成区画内の用紙搬送速度より高速の搬送速度をもって前記用紙を搬送する
ことを特徴とする請求項１に記載の画像形成装置。
【請求項３】
前記反転搬送区画内の搬送ローラは、前記画像形成区画内の用紙搬送速度より高速の搬送速度をもって前記用紙を搬送し、その後に停止して前記用紙を保持し、レジストレーションローラにより前記用紙を前記画像形成区画内の用紙搬送速度をもって搬送する
ことを特徴とする請求項１に記載の画像形成装置。
【請求項４】
前記反転搬送区画内の搬送ローラは、
使用される用紙のうちの搬送方向の最短の用紙長の寸法より若干短い寸法の軸間距離を有して離間した１対のローラであり、
該１対の搬送ローラにより前記使用される用紙を保持できるように構成した
ことを特徴とする請求項１から請求項３のうちの何れか一項に記載の画像形成装置。
【発明の詳細な説明】
【０００１】
【発明の属する技術分野】
本発明は、コピー用紙、紙幣、証券などの紙用類の用紙の両面に画像を形成する画像形成装置に関する。
【０００２】
【従来の技術】
従来、コピー機１０１において両面コピーを行う場合の搬送路は、該搬送路の概念図である図３に示すように、複数のコピー用紙が収納され、コピー用紙を１枚ずつ供給する給紙部１０２と、画像形成の同期をとるためのレジストレーション部１０３と、コピー用紙の片面に画像を形成する画像形成区画１０４と、画像形成面を変更するためにコピー用紙を搬送方向に対して反転させる折返し区画１０５と、反転させたコピー用紙を画像形成区画１０４に再び搬送するための反転搬送区画１０６とを備えている。
【０００３】
なお、図３において矢印を有する二点鎖線のラインＡは、コピー用紙の片面に画像を形成するための画像形成搬送路を示し、矢印を有する実線のラインＢは、画像形成面を変更したコピー用紙を画像形成区画１０４に再び搬送するための反転用紙搬送路を示している。
【０００４】
上記の画像形成搬送路Ａ、反転用紙搬送路Ｂに沿ってコピー用紙を搬送するメカニズムの駆動源として、１つのモータＭ１０が使用されている。
【０００５】
そして、コピー用紙を、画像形成搬送路Ａの矢印方向に搬送するレジストレーションローラ１０３ｒは、レジスト部クラッチ機構１０３ｃを介してモーターＭ１０に接続され、また、感光体ドラム１０４ｄ、定着加熱ローラ１０４ｔは、直接、モーターＭ１０に接続されており、それぞれ矢印方向に回転してコピー用紙の搬送を行う。
【０００６】
また、折返し区画１０５における折返しローラ１０５ｒは、直接、モーターＭ１０に接続されており、モーターＭ１０を一方向に回転させて折返しローラ１０５ｒを矢印ａ１方向に回転させてコピー用紙を画像形成搬送路Ａに沿って搬送し、その後、モーターＭ１０を反転させて折返しローラ１０５ｒを矢印ａ２方向に回転させてコピー用紙を反転用紙搬送路Ｂに沿って搬送することにより、コピー用紙の画像形成面を搬送方向に対して反転させている。
【０００７】
また、コピー用紙を、反転搬送区画１０６において、反転用紙搬送路Ｂの矢印方向に搬送する搬送ローラ１０６ｒ１、１０６ｒ２は、それぞれクラッチ機構１０６ｃ１、１０６ｃ２を介してモーターＭ１０に接続されており、それぞれ矢印方向に回転してコピー用紙の搬送を行う。
【０００８】
上述の用紙搬送メカニズムにおいては、図３に示すように、画像形成搬送路Ａの矢印方向にコピー用紙を搬送している場合には、レジストレーションローラ１０３ｒ、感光体ドラム１０４ｄ、定着加熱ローラ１０４ｔは、図３中、それぞれ矢印方向に回転してコピー用紙を搬送し、また、反転用紙搬送路Ｂの矢印方向にコピー用紙を搬送する場合には、搬送ローラ１０６ｒ１、１０６ｒ２を、それぞれ矢印方向に回転してコピー用紙を搬送している。
【０００９】
上記構成において、コピー用紙を、画像形成区画１０４を通過させその一方面に画像を形成し、折返し区画１０５においてコピー用紙の搬送を画像形成搬送路Ａから反転用紙搬送路Ｂに変更する場合、まず、画像形成搬送路Ａにおいては、レジストレーションローラ１０３ｒ、感光体ドラム１０４ｄ、定着加熱ローラ１０４ｔ、は、それぞれ矢印方向に回転し、また、折返し区画１０５の折返しローラ１０５ｒは、矢印ａ１方向に回転している。
【００１０】
続いて、コピー用紙を、折返し区画１０５において画像形成搬送路Ａから反転して反転用紙搬送路Ｂに沿って搬送する場合、折返しローラ１０５ｒは、矢印ａ１方向の回転から矢印ａ２方向の回転に移行する。
【００１１】
この場合、モータＭ１０を反転させるため、反転搬送区画１０６における搬送ローラ１０６ｒ１は、クラッチ機構１０６ｃ１を接続してモータＭ１０の駆動力を伝達すると図３の矢印方向の反対方向に回転してしまい、コピー用紙が、搬送ローラ１０６ｒ１により反転用紙搬送路Ｂの進行方向の反対方向に搬送されることが生じる。
【００１２】
そのため、折返し区画１０５の折返しローラ１０５ｒの矢印ａ２方向への回転によるコピー用紙の搬送が終了するまで、クラッチ機構１０６ｃ１によって搬送ローラ１０６ｒ１の駆動は切断し、折返しローラ１０５ｒの矢印ａ２方向への回転による搬送が終了した時点において、モータＭ１０を正転させクラッチ機構１０６ｃ１を接続して搬送ローラ１０６ｒ１を矢印方向に回転させ、コピー用紙を反転用紙搬送路Ｂに沿って搬送している。
【００１３】
なお、反転搬送区画１０６におけるコピー用紙の搬送速度は、画像形成区画１０４の速度と同じ等速モード、および印刷速度の向上を狙った高速の高速度モードの２種類を有している。
【００１４】
なお、本願に関わる文献公知発明としては、下記の特許文献１が開示されている。
【００１５】
【特許文献１】
特開２００２−１５４７５１号公報
【発明が解決しようとする課題】
ところで、上述したように、折返し区画１０５の折返しローラ１０５ｒと反転搬送区画１０６の搬送ローラ１０６ｒ１、１０６ｒ２とは同一の駆動源のモーターＭ１０により駆動しているため、折返し区画１０５において、コピー用紙の搬送を、画像形成搬送路Ａから反転用紙搬送路Ｂに変更する場合、折返しローラ１０５ｒの回転を矢印ａ１方向から矢印ａ２方向に反転した際、搬送ローラ１０６ｒ１の回転駆動をクラッチ機構１０６ｃ１によって切断し、折返しローラ１０５ｒによる搬送が終了した後、モーターＭ１０を正転させクラッチ機構１０６ｃ１を接続して搬送ローラ１０６ｒ１を回転駆動している。
【００１６】
このように、コピー用紙を反転搬送する場合、切り換え制御する構成であるため、コピー用紙の搬送の高速化には限界がある。
【００１７】
また、コピー用紙を反転搬送する場合、折返しローラ１０５ｒの矢印ａ２方向の回転による搬送が終了した後に、搬送ローラ１０６ｒ１による反転用紙搬送路Ｂに沿ってのコピー用紙の搬送が開始されることから、折返しローラ１０５ｒの矢印ａ２方向の回転によって折返しローラ１０５ｒからコピー用紙が搬出された後に、搬送ローラ１０６ｒ１の矢印方向の回転を開始して搬送ローラ１０６ｒ１によりコピー用紙を巻き込んで搬送するため、折返しローラ１０５ｒと搬送ローラ１０６ｒ１間の搬送路長は、搬送すべきコピー用紙の搬送方向長に設定する必要がある。
【００１８】
そのため、折返しローラ１０５ｒと搬送ローラ１０６ｒ１間の搬送路長が所定の長さに限定されている。
【００１９】
また、反転搬送区画１０６における搬送ローラ１０６ｒ１、１０６ｒ２は、クラッチ機構１０６ｃ１、１０６ｃ２によりそれぞれ、断・続の駆動制御しているため、機器構成が複雑化している。
【００２０】
本発明は上記実状に鑑み、用紙の搬送速度の高速化が可能であり、制御および装置構成の簡素化が図れる画像形成装置の提供を目的とする。
【００２１】
【課題を解決するための手段、作用及び効果】
上記目的を達成するべく、本発明の請求項１に関わる画像形成装置は、用紙の両面に画像を形成する画像形成装置であって、画像形成区画を通過させて一方面に画像を形成した用紙を、他方面に画像を形成するため用紙搬送路に対して一方面と他方面とを反転させて反転搬送区画内に搬送する、第１駆動源により駆動される折返しローラと、画像形成区画内での用紙の搬送を行うための第２駆動源を用いて、反転搬送区画内において反転させた用紙を搬送する搬送ローラと、搬送ローラと第２駆動源間に設けられ、搬送ローラの駆動の断・続を行い反転搬送区画内の用紙の搬送・停止保持を行うためのクラッチ機構とを備えることを特徴としている。
【００２２】
上記構成によれば、折返しローラは第１駆動源により駆動し、搬送ローラは第２駆動源により駆動し、互いに別駆動源で駆動するため、折返しローラと搬送ローラとを独立して駆動制御することが可能であり、用紙を高速で搬送することが可能である。
【００２３】
また、折返しローラと搬送ローラとを独立して駆動制御できるため、折返しローラと搬送ローラ間の距離は、搬送する用紙長の寸法により制限を受けることなく、可能な限り近付けることができる。
【００２４】
そのため、装置の小型化を図ることが可能である。
【００２５】
本発明の請求項２に関わる画像形成装置は、請求項１に記載の画像形成装置において、反転搬送区画内の搬送ローラは、画像形成区画内の用紙搬送速度より高速の搬送速度をもって用紙を搬送することを特徴としている。
【００２６】
上記構成によれば、反転搬送区画内において用紙を搬送ローラにより画像形成区画内の用紙搬送速度より高速の搬送速度をもって搬送するので、用紙の搬送の高速化を図ることができる。
【００２７】
本発明の請求項３に関わる画像形成装置は、請求項１に記載の画像形成装置において、反転搬送区画内の搬送ローラは、画像形成区画内の用紙搬送速度より高速の搬送速度をもって用紙を搬送し、その後に停止して用紙を保持し、レジストレーションローラにより用紙を画像形成区画内の用紙搬送速度をもって搬送することを特徴としている。
【００２８】
上記構成によれば、反転搬送区画内において用紙を高速で搬送するため、用紙搬送の高速化を図ることができる。
【００２９】
また、搬送ローラにより高速の搬送速度をもって用紙を搬送し、その後、搬送ローラを停止させレジストレーションローラにより用紙を前記画像形成区画内の用紙搬送速度をもって搬送するので、用紙を反転搬送区画内では高速で搬送し、引き続き、円滑に用紙を画像形成区画内の用紙搬送速度で搬送することができる。
【００３０】
本発明の請求項４に関わる画像形成装置は、請求項１から請求項３のうちの何れか一項に記載の画像形成装置において、反転搬送区画内の搬送ローラは、使用される用紙のうちの搬送方向の最短の用紙長の寸法より若干短い寸法の軸間距離を有して離間した１対のローラであり、該１対の搬送ローラにより使用される用紙を保持できるように構成したことを特徴としている。
【００３１】
上記構成によれば、１対の搬送ローラにより搬送する用紙を保持できるので、用紙を確実に保持しつつ搬送でき、用紙の高速搬送を安定して行うことができる。
【００３２】
【発明の実施の形態】
以下、実施例を示す図面に基づいて、本発明を詳細に説明する。
【００３３】
本発明の実施例であるコピー機（画像形成装置）１は、当該機器の搬送路の概念図である図１に示すように、複数枚のコピー用紙が収納され、給紙ローラ２ｒによりコピー用紙を１枚ずつ供給する給紙部２と、コピー用紙への画像形成の同期をとるためのレジストレーション部３と、コピー用紙の片面に画像を形成する画像形成区画４と、コピー用紙に対する画像の形成を一方面から他方面に変えるためにコピー用紙を搬送方向に対して反転させる折返し区画５と、反転させたコピー用紙を画像形成区画４に再び搬送するための反転搬送区画６と、両面に画像が形成されたコピー用紙が折返し区画５より搬出される用紙排出部７とを備えている。
【００３４】
なお、図１における矢印を有する二点鎖線のラインＡは、コピー用紙の片面に画像を形成するための画像形成搬送路を示し、矢印を有する実線のラインＢは、一方面に画像が形成されたコピー用紙の他方面に画像を形成するため、コピー用紙を再度、画像形成区画４に搬送するための反転用紙搬送路を示している。
【００３５】
上記の画像形成搬送路Ａおよび反転用紙搬送路Ｂに沿ってコピー用紙を搬送するメカニズムの駆動源として、２つのモータＭ１、Ｍ２が使用されている。
【００３６】
モータ（第１駆動源）Ｍ２は、折返し区画５の折返しローラ５ｒ（後述）をのみ駆動するものであり、折返しローラ５ｒを矢印ｂ１方向または矢印ｂ２方向に回転駆動するため、反転制御されている。
【００３７】
一方、モータ（第２駆動源）Ｍ１は、コピー用紙を搬送するために、折返しローラ５ｒ以外の搬送用のローラ（後述）を駆動するもので、コピー用紙の高速搬送を実現するために同一回転方向の高速度モードのみを有している。
【００３８】
上記レジストレーション部３には、コピー用紙が画像形成搬送路Ａに搬入されたことを検知し、コピー用紙に画像を形成するための同期をとるためのレジストレーションセンサｒｓと、レジスト部クラッチ機構３ｃを介してモータＭ１に接続され、矢印方向に回転することによりコピー用紙を搬送するレジストレーションローラ３ｒとを備えている。
【００３９】
上記画像形成区画４には、コピー用紙の片面に画像を形成するための感光体ドラム４ｄとトナー４ｔとを備え、感光体ドラム４ｄは、モータＭ１に接続され矢印方向に回転してコピー用紙の搬送も行っている。
【００４０】
さらに、画像形成区画４には、定着加熱ローラ４ｒ備わり、定着加熱ローラ４ｒは、モータＭ１に接続され矢印方向に回転してコピー用紙に形成された画像の定着を行っている。
【００４１】
また、画像形成区画４と折返し区画５間には、折返し区画センサｏｓが備えられ、コピー用紙が折返し区画５に向って搬送されたことを検知し、コピー用紙の通過が検出されている。
【００４２】
折返し区画５には、画像形成搬送路Ａを通過することにより一方の片面に画像を形成されたコピー用紙を、他方の片面に画像を形成するために用紙搬送方向に対して画像を形成する面を反転して、画像形成搬送路Ａから引き続き反転用紙搬送路Ｂに沿って搬送するための折返しローラ５ｒが、モータＭ２に接続され設けられている。
【００４３】
すなわち、図１に示すように、一方の片面に画像を形成したコピー用紙を、折返しローラ５ｒを矢印ｂ１方向に回転することにより画像形成搬送路Ａに沿って搬送し（図１中のＡ１）、引き続き、モータＭ２を反転して折返しローラ５ｒを矢印ｂ２方向に回転してコピー用紙を反転用紙搬送路Ｂに沿って搬送し（図１中のＢ１）、コピー用紙における画像を形成する面を用紙搬送方向に対して反転している。
【００４４】
反転搬送区画６には、コピー用紙を反転用紙搬送路Ｂに沿って搬送するための搬送ローラ６ｒ１と搬送ローラ６ｒ２とが備えられており、使用される用紙長が最も短いコピー用紙に対しても搬送ローラ６ｒ１と搬送ローラ６ｒ２とで保持して当該コピー用紙を最低１枚は取り込め保持できるように、搬送ローラ６ｒ１と搬送ローラ６ｒ２との軸間距離が、使用されるコピー用紙のうちの搬送方向の最も短い用紙長の寸法より若干、短い寸法をもって離間されている。
【００４５】
ここで、搬送ローラ６ｒ２は、反転搬送クラッチ機構（クラッチ機構）６ｃを介してモータＭ２に接続されており、また、搬送ローラ６ｒ１は、ベルト６ｂを介して搬送ローラ６ｒ２に接続されており、搬送ローラ６ｒ２が、モータＭ２により駆動されることによりその駆動力が搬送ローラ６ｒ１に伝達され、搬送ローラ６ｒ１と搬送ローラ６ｒ２とが連動するように構成されている。
【００４６】
なお、搬送ローラ６ｒ１、６ｒ２は、コピー用紙の両面への画像形成（両面印刷）の高速化を図るため、画像形成区画４におけるコピー用紙への画像形成時の搬送速度以上の速度が得られるように、減速比が設定されている。
【００４７】
次に、コピー用紙の両面に画像を形成する過程を、そのタイムチャートを示す図２、および図１を用いて説明する。
【００４８】
まず、電源スィッチ（図示せず）がオンされると、モータＭ１が高速度モードで高速回転する。
【００４９】
両面コピーのスタート信号が入力されると、図１に示すように、給紙ローラ２ｒが、矢印方向に回転（図２中の２ｒ１）し、１枚のコピー用紙が、給紙部２から搬出され、画像形成搬送路Ａに沿って搬送が開始される。
【００５０】
そして、コピー用紙が、レジストレーションセンサｒｓを通過するとレジストレーションセンサｒｓがオン状態（図２中のｒｓ１）になり、画像形成区画４においてコピー用紙に画像を形成するための同期がとられる。
【００５１】
続いて、レジスト部クラッチ機構３ｃがオンされ（図２中の３ｃ１）、モータＭ１の回転によりレジストレーションローラ３ｒが矢印方向に回転して、コピー用紙が、トナー４ｔ、感光体ドラム４ｄ間を搬送されることで、トナー４ｔに接触するコピー用紙の一方面に画像が形成（印刷）される。
【００５２】
続いて、モータＭ１の回転により定着加熱ローラ４ｒが矢印方向に回転してコピー用紙が搬送され、コピー用紙に形成された画像が定着加熱ローラ４ｒの加熱により定着される。
【００５３】
続いて、コピー用紙が、折返し区画センサｏｓを通過すると、折返し区画センサｏｓがオン（図２中のｏｓ１）される。
【００５４】
折返し区画センサｏｓがオンされると、モータＭ２に通電されモータＭ２が正転し（図２中のＭ２１）、折返し区画５における折返しローラ５ｒが矢印ｂ１方向に回転して、コピー用紙を所定時間、矢印Ａ１方向に搬送した後、モータＭ２への通電が一旦、遮断され（図２中のＭ２２）折返しローラ５ｒが停止する  。
【００５５】
その後、モータＭ２に通電されモータＭ２が反転し（図２中のＭ２３）、折返しローラ５ｒが矢印ｂ２方向に回転して、コピー用紙を矢印Ｂ１方向に搬送する。
【００５６】
次いで、所定時間経過後、反転搬送クラッチ機構６ｃがオンされ（図２中の６ｃ１）、搬送ローラ６ｒ１、搬送ローラ６ｒ２が、連動して矢印方向に回転する。
【００５７】
このように、コピー用紙が、折返しローラ５ｒの矢印ｂ２方向の回転により、反転用紙搬送路Ｂに沿って矢印Ｂ１方向に搬送され始めると、コピー用紙の先端部が、搬送ローラ６ｒ１に引き込まれて、搬送ローラ６ｒ１、６ｒ２によって反転用紙搬送路Ｂに沿って搬送される。
【００５８】
コピー用紙が、反転用紙搬送路Ｂに沿って搬送され、その先端部がレジストレーション部３におけるレジストレーションセンサｒｓを通過すると、レジストレーションセンサｒｓがオンされる  （図２中のｒｓ２）。
【００５９】
その後、レジスト部クラッチ機構３ｃがオンされ（図２中の３ｃ２）、レジストレーションローラ３ｒが回転を開始するとともに反転搬送クラッチ機構６ｃがオフされ、搬送ローラ６ｒ１、搬送ローラ６ｒ２が停止して、コピー用紙が、搬送ローラ６ｒ１、６ｒ２からレジストレーションローラ３ｒによって引き抜かれ画像形成搬送路Ａに沿って搬送される。
【００６０】
その後、コピー用紙は、画像形成区画４における感光体ドラム４ｄ、トナー４ｔ間を搬送され、コピー用紙の他方の片面に画像が形成され、定着加熱ローラ４ｒにより形成された画像が定着される。
【００６１】
続いて、コピー用紙が、折返し区画センサｏｓを通過すると、折返し区画センサｏｓがオン（図２中のｏｓ２）され、同時に、モ−タＭ２に通電され、折返し区画５における折返しローラ５ｒが矢印ｂ１方向に回転し、両面に画像が形成（両面印刷）されたコピー用紙が、排紙部７へ排出される。
【００６２】
引き続き、給紙ローラ２ｒが、矢印方向に回転し（図２中の２ｒ２）、次のコピー用紙を画像形成搬送路Ａ内に搬入し、両面に対する画像形成が、上述と同様に行われる。
【００６３】
上記構成によれば、搬送ローラ６ｒ１、６ｒ２に高速搬送が可能なように減速比を設定して反転搬送区画６においてコピー用紙の高速搬送を行い、その後、反転搬送クラッチ機構６ｃを切断し搬送ローラ６ｒ１、６ｒ２を停止するとともにレジスト部クラッチ機構３ｃを接続してレジストレーションローラ３ｒを回転駆動し、コピー用紙を搬送ローラ６ｒ１、６ｒ２からレジストレーションローラ３ｒにより引き抜いて搬送を行っている。
【００６４】
そのため、モータＭ１の駆動速度は、高速度モードの１種類しか持たず制御が簡素化される。
【００６５】
また、用紙長が短いコピー用紙に対しても、反転搬送区画６内の搬送ローラ６ｒ１、６ｒ２で最低１枚の用紙が取り込め保持できるように搬送ローラ６ｒ１、６ｒを設けているので、反転搬送クラッチ機構６ｃの断・続でコピー用紙の停止、保持が可能であり、コピー用紙を確実に保持しつつ高速搬送することができ、コピー用紙両面への画像形成の更なる高速化が可能である。
【００６６】
また、反転搬送区画６内の搬送ローラ６ｒ１、６ｒ２が連動する構成のため、クラッチ機構が反転搬送クラッチ機構６ｃの一つでよく、構成が簡素である。
【００６７】
また、折返し区画５における折返しローラ５ｒを駆動するモータＭ２と、反転搬送区画６における搬送ローラ６ｒ１、６ｒ２を駆動するモータＭ１とを、別モータで構成しているので、折返しローラ５ｒの矢印ｂ２方向の回転によりコピー用紙が折返しローラ５ｒから完全に搬出された後に、反転搬送クラッチ機構６ｃを接続して搬送ローラ６ｒ１、６ｒ２を矢印方向に回転させる必要性はなく、折返しローラ５ｒの駆動制御と独立して搬送ローラ６ｒ１、６ｒ２の駆動制御が行える。
【００６８】
そのため、折返しローラ５ｒの回転動作と搬送ローラ６ｒ１、６ｒ２の回転動作との切り換え制御を行う必要がなく各々独立した制御が可能であり、用紙搬送の高速化が図れる。
【００６９】
また、折返しローラ５ｒと搬送ローラ６ｒ１、６ｒ２とを独立して制御するため、
折返しローラ５ｒと搬送ローラ６ｒ１間に搬送すべき用紙の長さのスペースを設ける必要がなく、折返しローラ５ｒと搬送ローラ６ｒ１間の距離を可能な限り近付けることができる。
【００７０】
そのため、装置を小型化することができる。
【００７１】
なお、上記実施例では、画像形成装置としてコピー機を例示したが、紙幣、証券などの紙用類の用紙に画像を形成する画像形成装置等、コピー機以外の他の装置においても、本発明に関わる画像形成装置を有効に適用し得ることは言うまでもない。
【００７２】
【発明の効果】
以上、詳述した如く、本発明に関わる画像形成装置によれば、用紙の高速搬送が可能であり、制御および構成が簡素化された画像形成装置が実現できる。
【図面の簡単な説明】
【図１】本発明の実施例に関わるコピー機の搬送路を示す概念図。
【図２】本発明の実施例に関わるコピー機において両面に画像形成（両面印刷）する際のタイムチャート。
【図３】従来のコピー機の搬送路を示す概念図。
【符号の説明】
１…コピー機（画像形成装置）、
３ｒ…レジストレーションローラ、
４…画像形成区画、
５ｒ…折返しローラ５ｒ、
６…反転搬送区画、
６ｃ…反転搬送クラッチ機構（クラッチ機構）、
６ｒ１、６ｒ２…搬送ローラ、
Ｍ１…モータ（第２駆動源）、
Ｍ２…モータ（第１駆動源）。
【図１】
2005008397.tif 000003
【図２】
2005008397.tif 000004
【図３】
2005008397.tif 000005